(57)【要約】      （修正有）【課題】重心が低く、作業をやりやすい脱水機を提供する。【解決手段】１つの側壁面、及びこの側壁面に相対する側壁面に、それぞれ開口部を有する箱体１、上記開口部から開口部への移動を可能とする移動装置２、上記移動装置２の下部に設けられる昇降回転部３、上記移動装置２によって移動する、上面に開口部を有する容器４、及びこの容器４の開口部を覆うための蓋本体５１を有する蓋部材５を有する脱水機であって、昇降回転部３として、昇降軸保持部３６の外周を回転自在に設けられた回転軸部３８、上記容器支持盤３１に取り付けられ、上記回転軸部３８の上端部の鍔部３８ａに設けられた孔部３８ｂに通される連結ピン３９、上記回転軸部３８を回転させるモーターから構成された昇降回転部３を用いる。【選択図】図１
2013242105.tif 000002
【特許請求の範囲】
【請求項１】
１つの側壁面、及びこの側壁面に相対する側壁面に、それぞれ開口部１１、１２を有する箱体１、上記開口部１１から開口部１２への移動を可能とする移動装置２、上記移動装置２の下部に設けられる昇降回転部３、上記移動装置２によって移動する、上面に開口部を有する容器４、及びこの容器４の開口部を覆うための蓋本体５１を有する蓋部材５を有する脱水機であって、
上記昇降回転部３は、上記容器４を支持し、かつ、回転させる容器支持盤３１、この容器支持盤３１の下面に取り付けられた、この容器支持盤３１を上下動させるための昇降軸３２、この昇降軸３２の下端部に配される昇降軸脚部３３、この昇降軸脚部３３の下部に設けられる、昇降軸３２を昇降自在とする昇降装置３４、上記昇降軸３２を昇降自在に保持する固定された筒状の昇降軸保持部３６、この昇降軸保持部３６の外周を回転自在に設けられた回転軸部３８、上記容器支持盤３１に取り付けられ、上記回転軸部３８の上端部の鍔部３８ａに設けられた孔部３８ｂに通される連結ピン３９、上記回転軸部３８を回転させるモーター４１から構成され、
上記容器４は、その内部に脱水対象物品を入れて、回転により、脱水するためのものであり、この容器４は、回転させたときに、上記脱水対象物品の有する水を外部に排出させることのできる孔部をその側壁に有し、
上記蓋部材５は、上記箱体１の上壁面に連結される蓋支持部５２、及び上記蓋本体５１を回転自在に上記蓋支持部５２に連結するための蓋連結部５３から構成され、
水を含む脱水対象物品を入れた上記容器４を上記移動装置２に載せて、上記箱体１の内部の所定位置まで移動させ、
上記昇降回転部３の昇降装置３４で上記昇降軸３２を上昇させることにより、上記容器支持盤３１上に上記容器４を載せるとともに、上記蓋本体５１で上記容器４の開口部を覆い、
上記モーター４１による回転を、ベルトを介して上記回転軸部３８に伝え、この回転軸部３８の回転を上記連結ピン３９を介して上記容器支持盤３１に伝えることにより、上記容器支持盤３１を回転させ、これにより、上記容器４を回転させて容器４内の水を外部に排出させる脱水機。
【請求項２】
上記容器４を、上記移動装置２上であって、上記昇降回転部３の容器支持盤３１に載せることのできる位置で停止させ、かつ脱水後にその停止を解除することが可能である停止手段を有する、請求項１に記載の脱水機。
【請求項３】
上記停止手段が、上記容器４の移動を停止するための位置決め棒７２、この位置決め棒を取り付けられたクランク軸７１、及びこのクランク軸７１の回転を制御する制御部から構成され、
上記停止手段は、上記クランク軸７１の軸を中心に回動することにより、上記位置決め棒７２は回動自在となり、上記容器４を上記の所定の位置に停止させるため、上記位置決め棒７２を、上記移動装置２より上方に突き出させ、かつその状態を固定させる手段である、請求項２に記載の脱水機。
【発明の詳細な説明】
【技術分野】
【０００１】
この発明は、水を含む物品を脱水する脱水機に関し、特にカット野菜や、コンブ等の水産物等の食品を水で洗浄した後、脱水するための脱水機に関する。
【背景技術】
【０００２】
食品工場等の現場において、カット野菜や冷凍食材等の食品を大規模に水で洗浄した後、脱水する工程がある。この脱水工程は、一般に遠心脱水機を用いて行われるが、洗浄後の食品を篭に入れ、これを、遠心脱水機の中に収納し、蓋を閉めて遠心脱水し、次いで、蓋を開けて篭を取り出し、篭から脱水後の食品を取り出すという手順が必要となる。
【０００３】
しかし、上記の各手順のうち、遠心脱水機の中に食品を入れた篭を収納して蓋をしめたり、蓋を開けて取り出したりする作業は、人手によるが、食品入りの篭の重量は大きいため、かなりの労力を有する。特に、篭の取り出し作業は、篭の縁を持って、上方に引き上げる必要があり、篭の中の水に濡れた食品がかなり重いため、かなりの重労働となる。
【０００４】
これに対し、遠心脱水をする際に、人の労力を低減した脱水機が知られている（特許文献１）。
【先行技術文献】
【特許文献】
【０００５】
【特許文献１】特開２００７−３１５６７５号公報
【発明の概要】
【発明が解決しようとする課題】
【０００６】
ところで、特許文献１の脱水機は、モーターの上方に篭を配した構造を有しており、篭の位置が比較的高い位置に配される。このため、人の作業が必要となったとき、作業がやりにくくなるおそれがある。また、脱水機全体として重心が高くなり、場合によっては、不安定になるおそれがある。
【０００７】
そこでこの発明は、脱水機の重心を低くし、作業をやりやすくすることを目的とする。
【課題を解決するための手段】
【０００８】
この発明は、１つの側壁面、及びこの側壁面に相対する側壁面に、それぞれ開口部１１、１２を有する箱体１、上記開口部１１から開口部１２への移動を可能とする移動装置２、上記移動装置２の下部に設けられる昇降回転部３、上記移動装置２によって移動する、上面に開口部を有する容器４、及びこの容器４の開口部を覆うための蓋本体５１を有する蓋部材５を有する脱水機であって、上記昇降回転部３は、上記容器４を支持し、かつ、回転させる容器支持盤３１、この容器支持盤３１の下面に取り付けられた、この容器支持盤３１を上下動させるための昇降軸３２、この昇降軸３２の下端部に配される昇降軸脚部３３、この昇降軸脚部３３の下部に設けられる、昇降軸３２を昇降自在とする昇降装置３４、上記昇降軸３２を昇降自在に保持する固定された筒状の昇降軸保持部３６、この昇降軸保持部３６の外周を回転自在に設けられた回転軸部３８、上記容器支持盤３１に取り付けられ、上記回転軸部３８の上端部の鍔部３８ａに設けられた孔部３８ｂに通される連結ピン３９、上記回転軸部３８を回転させるモーター４１から構成され、上記容器４は、その内部に脱水対象物品を入れて、回転により、脱水するためのものであり、この容器４は、回転させたときに、上記脱水対象物品の有する水を外部に排出させることのできる孔部をその側壁に有し、上記蓋部材５は、上記箱体１の上壁面に連結される蓋支持部５２、及び上記蓋本体５１を回転自在に上記蓋支持部５２に連結するための蓋連結部５３から構成され、水を含む脱水対象物品を入れた上記容器４を上記移動装置２に載せて、上記箱体１の内部の所定位置まで移動させ、上記昇降回転部３の昇降装置３４で上記昇降軸３２を上昇させることにより、上記容器支持盤３１上に上記容器４を載せるとともに、上記蓋本体５１で上記容器４の開口部を覆い、上記モーター４１による回転を、ベルトを介して上記回転軸部３８に伝え、この回転軸部３８の回転を上記連結ピン３９を介して上記容器支持盤３１に伝えることにより、上記容器支持盤３１を回転させ、これにより、上記容器４を回転させて容器４内の水を外部に排出させる脱水機を用いることにより、上記の課題を解決したのである。
【発明の効果】
【０００９】
この発明にかかる脱水機は、昇降回転部とモーターとをベルトで連結するので、昇降回転部をモーターの上に配することが不要となり、昇降回転部とモーターとを並置することが可能となる。このため、モーターの分だけ、脱水機の高さを低くすることができ、篭の位置を低くすることが可能となる。このため、重心を低くすることができ、また、人の作業がやりやすくなる。
【図面の簡単な説明】
【００１０】
【図１】この発明にかかる脱水機の例を示す正面図
【図２】図１の側面図
【図３】この発明にかかる停止手段の機構を有する脱水機の例を示す部分拡大正面図
【図４】この発明にかかる停止手段の機構の例を示す斜視図
【図５】この発明にかかる脱水機において、容器を回転させている状態を示す正面図
【発明を実施するための形態】
【００１１】
以下、この発明にかかる脱水機を、図１から図５を用いて詳細に説明する。
この発明は、図１〜図２に示すように、箱体１、移動装置２、昇降回転部３、容器４、及び蓋部材５を有する脱水機である。
【００１２】
上記箱体１は、その全面に壁が設けられ、かつ、１つの側壁面、及びこの側壁面に相対する側壁面に、それぞれ開口部１１、１２を有するものである。
この箱体１の内部には、開口部１１から開口部１２への移動を可能とするように移動装置２が設けられる。また、この移動装置２の下部に、上端部に容器支持盤３１を有する昇降回転部３が設けられる。
【００１３】
上記開口部１１及び１２には、必要に応じて、図１に示すような扉１３を設けてもよい。上記容器４を箱体１内で回転させるとき、この扉１３を閉じることにより、飛び散る水が箱体１の外部に飛び出すのを防止できる。
【００１４】
ところで、上記の容器４を回転させる際に、この発明にかかる脱水機の全体に、遠心に伴う振動が生じることがある。この脱水機全体の振動を吸収し、振動に伴う振音を抑制するために、この脱水機に防振装置を設けてもよい。この防新装置は、種々あるが、簡便なものとして、図１〜図２，図５に示すように、ゴム状の脚部１６を有する防音板１７上にゴム状の防音材１８を配し、この上に後述の昇降装置３４を載せる方法があげられる。これにより、遠心脱水に伴う振動を、ゴム状防音材１８や、ゴム状の脚部１６で吸収し、振動に伴う振音を抑制することができる。
【００１５】
上記昇降回転部３は、上記容器４を持ち上げて回転させ、遠心脱水を行う装置である。この昇降回転部３は、上記容器４を支持し、かつ、回転させる容器支持盤３１、この容器支持盤３１の下面に取り付けられた、この容器支持盤３１を上下動させるための昇降軸３２、この昇降軸３２の下端部に配される昇降軸脚部３３、この昇降軸脚部３３の下部に設けられる、昇降軸３２を昇降自在とする昇降装置３４、上記昇降軸３２を昇降自在に保持する固定された筒状の昇降軸保持部３６、この昇降軸保持部３６の外周を回転自在に設けられた回転軸部３８、上記容器支持盤３１に取り付けられ、上記回転軸部３８の上端部の鍔部３８ａに設けられた孔部３８ｂに通される連結ピン３９、及び上記回転軸部３８を回転させるモーター４１から構成される。
【００１６】
上記昇降回転部３を構成する容器支持盤３１は、その上に上記容器４を支持し、移動装置２より上方に持ち上げ、回転させるための盤状体である。この容器４の底部は、平らであってもよいが、凹みを設けたり、図１、２、５に示すように、容器支持盤３１を内側に入れることのできる円環状の盤受け部４２を設けてもよい。凹みや盤受け部４２を設けると、容器支持盤３１と容器４の両方の回転中心をより一致させやすくなる。
【００１７】
この容器支持盤３１の下面には、昇降軸３２及び連結ピン３９が取り付けられる。この昇降軸３２は、容器支持盤３１の中心部の下面に固定されており、また、この連結ピン３９は、容器支持盤３１の中心以外の部分に固定されている。
【００１８】
上記昇降軸３２は、上記容器支持盤３１の中心部の下面に、取り付けられた軸であり、上下動及び軸中心を中心軸とする回転が自在に設けられる。
【００１９】
この昇降軸３２の上下動にしたがって、上記容器支持盤３１は昇降が可能となる。そして、この昇降軸３２の下端部には、昇降軸３２に対して回転自在の昇降軸脚部３３が設けられる。さらに、この昇降軸脚部３３は、平行移動を可能とするため、その下部はボールやタイヤ等の回転体が配される。
【００２０】
この昇降軸脚部３３は、図２に示すように、斜面を有する昇降装置３４によって、上下動し、結果として、昇降軸３２を上下動させることが可能となる。この昇降装置３４は、傾斜面を有する台座３４ａとこの台座３４ａを水平移動させる台座移動装置３４ｂとからなる。そして、図２に示すように、昇降軸脚部３３を台座３４ａの傾斜面の下側に配した状態から、台座移動装置３４ｂによって台座３４ａを移動させることにより、図５に示すように、昇降軸脚部３３を台座３４ａの傾斜面の上側に配した状態に移動させることができる。この台座３４ａの高さは、上記容器４を持ち上げる高さに合わせて設定すればよい。
【００２１】
なお、上記台座移動装置３４ｂは、台座３４ａを水平動させることができれば、特に限定されるものではなく、例えば、図２や図５に示されるような、１本又は複数本のシリンダを用いた装置をあげることができる。
【００２２】
上記昇降軸３２は、筒状の昇降軸保持部３６によって支持される。この昇降軸保持部３６は、その下端部が脱水機の本体に固定され、また、その筒状部の内部に上記昇降軸３２を、シール部材３５を介して保持する。これにより、上記昇降軸３２は、シール部材３５を滑りながら、上下動及び回転が自在となる。
【００２３】
この昇降軸保持部３６の外周には、回転軸部３８が軸受３７を介して回転自在に設けられる。そして、上記回転軸部３８の上端部には鍔部３８ａが設けられ、ここに設けられた孔部３８ｂに、上記容器支持盤３１に取り付けられた連結ピン３９が通される。このピンより、回転軸部３８の回転を容器支持盤３１に伝えることができる。
【００２４】
上記回転軸部３８には、モーター４１の回転を伝達するベルト４０が配される。このため、モーター４１の回転がベルト４０を介して、上記回転軸部３８を回転させる。
【００２５】
上記のように、回転軸部３８とモーター４１とは、ベルト４０によって連結されるので、回転軸部３８とモーター４１とを並置させることができ、モーター４１の高さの分だけ、この発明にかかる脱水機の高さを下げることが可能となる。
【００２６】
上記移動装置２は、図１に示すように、上記容器４が、上記箱体１の外部から上記箱体１の開口部１１、この開口部１１から上記開口部１２、この開口部１２から上記箱体１の外部へ移動を可能とする装置である。このような装置としては、ベルトコンベヤやチェーンコンベヤ、スラットコンベヤ、ネットコンベヤ等のコンベヤ等があげられる。
【００２７】
なお、上記容器支持盤３１及び昇降軸３２が上下動する位置の上記移動装置２の部分には、上記容器支持盤３１及び昇降軸３２が、上記移動装置２の上方及び下方の行き来が可能な空間部を有する。この空間部により、上記容器支持盤３１及び昇降軸３２は、上記移動装置２の下方から上方への移動、及び上記移動装置２の上方から下方への移動が可能となる。
【００２８】
上記容器４は、この発明にかかる脱水機によって回転させることにより、遠心脱水される対象物品を入れるものであり、脱水対象物品を入れる上面に開口部を有し、上記移動装置２や上記昇降回転部３の容器支持盤３１に載せることができ、上記開口部１１，１２を通過可能なものである。この上記容器４は、回転させたときに、上記脱水対象物品の有する水を上記容器４の外部に排出させることができるように、孔部をその容器４の側壁に設ける。このような容器４としては、容器４を板状体で構成し、これにパンチ孔をあけたもの、容器４を網状体で構成したもの等があげられる。
【００２９】
上記容器４の材質は特に限定されるものではなく、例えばステンレス等の金属製や、ポリオレフィン樹脂等の樹脂製であってよいが、遠心脱水に耐えられるものである必要がある。
【００３０】
上記の脱水対象物品としては、例えばカット野菜や個体野菜、豆類、穀類、果物や、鶏肉、豚肉、牛肉等の肉類、貝やイカ、魚等の魚介類、コンブ等の上記魚貝類以外の水産物等、工業規模で扱う食品があげられる。
【００３１】
上記蓋部材５は、容器４の開口部を覆う蓋本体５１、上記箱体１の上壁面に連結される蓋支持部５２、及び上記蓋本体５１を回転自在に上記蓋支持部５２に連結するための蓋連結部５３から構成される。この蓋部材５は、上記昇降回転部３の容器支持盤３１上に容器４が載って、上昇したとき、この蓋部材５の蓋本体５１が上記容器４の開口部を塞ぐ位置に設けられる。また、この蓋連結部５３には、弾性体が配される。このため、容器４を回転させる場合において、容器４の動きによっては、容器４と蓋本体５１とが離れることが起こりえるが、弾性体によって、そのような動きが補正され、容器４の開口部が蓋本体５１によって閉じられる状態を保持することができる。さらに、上記容器４を少し上昇させすぎたとしても、弾性体によって、容器４と蓋本体５１との密着圧力は調整され、容器４や蓋部材５等の破損を防止できる。
【００３２】
上記蓋部材５の蓋本体５１が上記容器４の開口部を塞いだ状態で、昇降回転部３による回転で、上記容器４と共に、蓋本体５１が回転する。この回転の際、上記蓋連結部５３は、軸受等の回転自在な部材を有しており、蓋支持部５２に対し、蓋本体５１の回転は、自在となっている。
【００３３】
なお、上記蓋本体５１の大きさは、必ずしも上記容器４の開口部の大きさと一致する必要はなく、上記開口部を覆うことができれば、特に限定されない。
【００３４】
次に、この発明にかかる脱水機の作用について説明する。
まず、容器４に、洗浄等をした、水を含む脱水対象物品を入れ、この容器４を、移動装置２に載せる。そして、上記箱体１の開口部１１からこの箱体１の内部に入り、この箱体１内部の所定位置、すなわち、上記昇降回転部３の容器支持盤３１に載せることのできる位置まで移動させる。
【００３５】
次に、上記昇降装置３４の台座移動装置３４ｂにより、台座３４ａを水平移動させ、昇降軸脚部３３を台座３４ａの傾斜面の下部から上部に移動させる。これにより、上記昇降軸３２が上昇し、上記容器４は、容器支持盤３１上に載せられ、かつ、上記蓋本体５１でその開口部が覆われた、図５に示す状態となる。
【００３６】
次に、上記昇降回転部３で上記容器４を回転させる。このとき、蓋本体５１は、蓋連結部５３で回転自在となっており、容器４と共に、蓋本体５１も回転する。この回転により、容器４内の脱水対象物品は遠心脱水され、この脱水対象物品に含まれる水が外部に排出される。
【００３７】
ところで、上記昇降回転部３の回転は、次の機構による。まず、モーター４１を回転させることにより、ベルト４０を介して、回転軸部３８に伝え、この回転軸部３８を回転させる。この回転軸部３８は、軸受３７により、固定された昇降軸保持部３６の外周を回転する。この回転軸部３８の回転により、回転軸部３８の上端部の鍔部３８ａに設けられた孔部３８ｂに差し込まれた連結ピン３９が同じように回転する。そして、この連結ピン３９を介し、この連結ピン３９が取り付けられた容器支持盤３１に回転が伝えられ、この容器支持盤３１が回転する。
【００３８】
このとき、昇降軸３２も同時に回転するが、昇降軸脚部３３は、昇降軸３２と回転自在に取り付けられているので、昇降軸脚部３３は、昇降軸３２の回転を支持しながら、台座３４ａ上に存することとなる。
【００３９】
上記遠心脱水の終了後は、上記昇降装置３４の台座移動装置３４ｂにより、台座３４ａを水平移動させ、昇降軸脚部３３を台座３４ａの斜面の上部から下部に移動させる。これにより、容器４が蓋本体５１から開放され、元の移動装置２上に戻される。そして、移動装置２によって、開口部１２から箱体１の外部に移動し、次工程に送られる。
【００４０】
ところで、上記移動装置２によって箱体１内に送られた容器４を、上記移動装置２上であって、上記容器支持盤３１に載せることのできる位置で停止させ、かつ遠心脱水後にその停止を解除することが可能である停止手段を有することが好ましい。このような停止手段を用いると、上記容器４を、上記蓋部材５を正確に取り付けられる位置に正確にセットしやすく、作業効率が向上する。
【００４１】
上記停止手段としては、上記容器４が、移動装置２上の所定の位置に到達したことをセンサーで感知すると、移動装置２を停止させ、上記遠心脱水後に移動装置２の運転を再開させる手段や、移動装置２によって移送される上記容器４の動きを、所定位置で遮るようにストッパーが立ち、上記遠心脱水後にこのストッパーが回動して上記容器４の移動を遮らないようにする手段等があげられる。
【００４２】
上記停止手段が、上記のストッパーを用いるものである場合は、上記移動装置２の移動部は、上に載せた上記容器４が移動装置２に対して、ある程度滑ることができるものであることが好ましい。移動装置２の移動部の動きに関わらず、上記ストッパーが遮って上記容器４の移送を停止させる場合、上記容器４は移動装置２の移動部が作動しつづける上を滑ることで、移動装置２の移動部の動きに対して無理に静止させる力を加えなくて済むからである。例えば、移動装置２の移動部としてコンベアを使用する場合、上記容器４とこのコンベヤがどちらもゴム製ではなく、接触部分が互いに滑りやすい樹脂製又は金属製である場合、上記容器４がコンベヤ上を滑ることができる。また、ストッパーを用いる場合でも、上記容器４が所定位置に到達したことを赤外線センサー等のセンサーで感知して、上記移動装置２を停止させると、上記容器４が揺れ動きにくく、より好ましい。特に上記蓋本体５１を取り付ける場合には、上記移動装置２が停止して、上記容器４が揺れ動かない方が取り付けやすく、好ましい。
【００４３】
次に、移動装置２として、両側に固定部材２１を有し、この固定部材２１間にスプロケット２３を有する回転軸２２が設けられ、このスプロケット２３に移送用チェーン２４が設けられたコンベア２５が用いられる場合において、上記停止手段としてストッパーを用いた場合の具体的な構造例を説明する。
【００４４】
この停止手段は、図３、図４に示すように、上記容器４の移動を停止するためのストッパーである位置決め棒７２、この位置決め棒７２を取り付けられたクランク軸７１、及びこのクランク軸７１の回転を制御する制御部から構成される。
【００４５】
まず、上記コンベア２５の両側の固定部材２１の間に、上記回転軸２２と水平方向となるように回動可能なクランク軸７１を配する。そして、上記位置決め棒７２の軸方向と、上記クランク軸７１の方向とは、異なる方向となるように、上記位置決め棒７２を、クランク軸７１に取り付ける。このため、このクランク軸７１の軸を中心に回動することにより、上記位置決め棒７２は、その先端が上記クランク軸７１から離れた位置で回動自在となる。その位置決め棒７２は、上記容器４を、所定の位置に停止させるため、上記移送用チェーン２４の上面で形成される平面（以下、「コンベア面」と称する。）から上方向に突き出して、上記制御部によって固定させる。
【００４６】
次に、遠心脱水後、上記位置決め棒７２は、上記コンベア面より下方に回動される。そして、上記容器４が上記位置決め棒７２上を通り過ぎると、上記制御部は、上記位置決め棒７２を上方向に突き出して固定させる。
【００４７】
この制御部の機構の例は次の通りである。図４に示すように、一方の上記固定部材２１側のクランク軸７１の端部に、クランク軸７１の回転に連動するクランク７３を取り付け、この上記クランク７３にシリンダー７４を取り付ける。そして、このシリンダー７４は、固定部材２１に取り付けられる。
【００４８】
上記シリンダー７４を往復動させると、クランク７３によって回動運動に変換され、クランク軸７１が回動する。これにより、上記位置決め棒７２が回動する。そして、上記シリンダー７４の動きを、制御することにより、上記位置決め棒７２が上記コンベア面より上方に突き出した状態で固定させたり、上記位置決め棒７２を上記コンベア面より下方に回動させたりすることができる。
【００４９】
なお、上記容器４が上記の所定位置に到着したことを、赤外線センサー等のセンサーで確認し、その後、数秒間、上記移送用チェーン２４を動かすと、上記位置決め棒７２に上記容器４が密着するようにすることができ、上記蓋部材５で上記容器４の上面を覆う際に上記容器４が揺れ動かないで済む。
【００５０】
上記遠心脱水が終了したら、上記シリンダー７４で上記位置決め棒７２を上記コンベア面より下方に回動させる。これにより、上記容器４は、上記箱体１の開口部１２から外部に出て、次工程に送られる。
【００５１】
上記容器４が上記箱体１の開口部１２から外部に出た後、次の容器４が、上記箱体１の開口部１１から箱体１内部に送られてくるが、その前に、シリンダー７４によって、上記位置決め棒７２を、上記コンベア面の上方に突き出させ、上記容器４の衝突によって倒れないように固定することにより、次に送られてきた容器４を留めることができる。
【００５２】
この発明にかかる脱水機の前後には、必要に応じて、移動装置２の前にコンベア等の移動装置２６を設けたり、図１に示すように、移動装置２の後に、コンベア等の移動装置（図示せず）を設けてもよい。これらの移動装置を介して、スムーズに上記容器４を遠心脱水し、次の工程に送ることができる。
【００５３】
ただし、上記容器４は、通過するのではなく、遠心脱水を順次行うため、上記脱水機に上記容器４が無い場合のみ、新たな上記容器４を上記脱水機の箱体１内に送る機構であると好ましい。この機構としては、例えば、センサーを設け、このセンサーが次の容器４の到着を感知した場合、上記箱体１内に前の容器４があると、上記移動装置を止めたり、又はストッパーを立てたりして、次の容器４が箱体１内に移行しないようにする。ここで、脱水機に上記容器４が載っているか否かは、例えば、開口部１１，１２の付近に赤外線センサーを設けて、容器４の出入りを監視したり、上記移送用チェーン２４に重量センサーを設けたりすることによって検知する方法があげられる。上記容器４が上記箱体１内になければ、次の容器４を上記箱体１内に移送し、遠心脱水を行う。
【００５４】
この発明にかかる脱水機により、脱水対象物品が入った上記容器４を、人力で脱水機内に入れる必要がなく、脱水機の移動装置２の上に載せるだけでよい。また、上記容器４に蓋本体５１を自動的に取り付けられるので、人力で蓋をする必要がない。
【符号の説明】
【００５５】
１  箱体
２  移動装置
３  昇降回転部
４  容器
５  蓋部材
６  昇降装置
１１  開口部
１２  開口部
１３  扉
１６  脚部
１７  防音板
１８  防音材
２１  固定部材
２２  回転軸
２３  スプロケット
２４  移送用チェーン
２５  コンベア
２６  移動装置
【００５６】
３１  容器支持盤
３２  昇降軸
３３  昇降軸脚部
３４  昇降装置
３４ａ  台座
３４ｂ  台座移動装置
３５  シール部材
３６  昇降軸保持部
３７  軸受
３８  回転軸部
３８ａ  鍔部
３８ｂ  孔部
３９  連結ピン
４０  ベルト
４１  モーター
４２  盤受け部
【００５７】
５１  蓋本体
５２  蓋支持部
５３  蓋連結部
５６  軸受
５７  受け板
５８  連結棒
５９  弾性体
６１  シリンダー
６２  台部
７１  クランク軸
７２  位置決め棒
７３  クランク
７４  シリンダー
【図１】
2013242105.tif 000003
【図２】
2013242105.tif 000004
【図３】
2013242105.tif 000005
【図４】
2013242105.tif 000006
【図５】
2013242105.tif 000007